(57)【要約】  【課題】画像データを端末装置から送信する場合に、登録作業等を必要とすることなく簡単に同じ宛先に送信することができるネットワーク複合機を提供する。  【解決手段】端末装置のモニタ画面に表示された文書一覧リスト画面で送信したい文書をチェックして「送信」ボタンをクリックすると、送信ダイアログ画面が端末装置のモニタ画面に表示される。この画面のファクス送信宛先、電子メール送信宛先入力欄の右側に表示された「宛先履歴」ボタンをクリックすることにより、ログインユーザが過去に端末装置から送信処理し、ネットワーク複合機内に保存されている宛先が表示される。したがって、その中から送りたい宛先を指定して送信を指示すれば、過去に送信処理を行った同一の相手に簡単に送信を行うことができる。  【選択図】図５
2006135570.tif 000002
【特許請求の範囲】
【請求項１】
端末装置と通信ネットワークを介して接続され、上記端末装置からログインして送信処理を実行することが可能なネットワーク複合機であって、
上記送信処理を制御する制御手段と、上記端末装置からの指示に基づいて送信処理された宛先の履歴情報をログインユーザ毎に記憶する記憶手段とを備え、端末装置から送信指示があったとき、上記制御手段が、送信処理された宛先情報を上記記憶手段にログインユーザ毎に記憶することを特徴とするネットワーク複合機。
【請求項２】
請求項１に記載されたネットワーク複合機において、
上記端末装置から上記記憶手段に記憶された宛先履歴情報の表示指示がなされたとき、上記制御手段がログインユーザの上記記憶手段に記憶された宛先履歴情報を上記端末装置に送信することを特徴とするネットワーク複合機。
【請求項３】
請求項１または請求項２に記載されたネットワーク複合機において、
上記端末装置から上記宛先履歴情報を指定して送信処理が指示された場合、上記制御手段が指定された宛先情報に基づいて送信処理を行うことを特徴とするネットワーク複合機。
【発明の詳細な説明】
【技術分野】
【０００１】
本発明はパーソナルコンピュータ（以下、パソコンという）などの端末装置とＬＡＮなどの通信ネットワークを介して接続され、端末装置のデータや機器内部に保存されたデータを端末装置から送信処理することが可能なネットワーク複合機に関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、ネットワーク複合機や端末装置いわゆるクライアントパソコンなどを接続して構成されており、ネットワーク複合機は、ファクシミリ受信したデータをクライアントパソコンに転送したり、クライアントパソコンから転送先を指定したデータを受信すると、受信したデータを指定された転送先に送信するようになっている（例えば、特許文献１参照。）。
【特許文献１】特開２０００−１０１７７６号公報
【０００３】
このようなネットワーク複合機はウェブブラウザ機能を有するネットワークボードを備え、複合機本体からの操作によりスキャンした場合に、スキャン文書をネットワークボード内部に保存するとともに、指定された端末装置にスキャン文書の保存を通知したり、あるいは、ファクス／メールを受信した場合に、ネットワーク複合機がネットワークボードの所定の格納場所に画像データを一時的に記憶し、ユーザがネットワークボードの格納場所にアクセスして画像データを取り込むようにした機能もある。
【０００４】
一方、このようなネットワーク複合機では、端末装置のウェブブラウザ画面から端末装置内のデータや上記のようにしてネットワーク複合機内に保存された画像データをファクス送信やメール送信できるようになっている。ネットワーク複合機内に保存された画像データを送信する場合は、ウェブブラウザ画面にネットワーク複合機本体に保存された文書の一覧リストを表示し、この文書一覧リスト画面で送信したい画像データを指定して送信を指示することにより、指定した画像データをファクス送信やメール送信することができる。
【０００５】
このような画像送信を行う場合、端末装置のウェブブラウザ画面で宛先情報を入力するには、ネットワーク複合機内に記憶された宛先表から選択して入力するか、宛先であるファクス番号またはメールアドレスを直接入力して送信するようになっている。
【発明の開示】
【発明が解決しようとする課題】
【０００６】
上記のように、従来のネットワーク複合機では、端末装置内のデータやネットワーク複合機内に保存された画像データを端末装置からの指示によって送信する場合、ネットワーク複合機の宛先表から選択して入力するか、宛先であるファクス番号またはメールアドレスを直接入力している。しかしながら、ファクス番号またはメールアドレスを直接入力してファクス送信またはメール送信を行った後で、次に同じ宛先に送信しようとした場合、再度、宛先であるファクス番号またはメールアドレスを入力しなければならず、手間がかかるという問題があった。
【０００７】
一方、上記のネットワーク複合機内に記憶された宛先表に送信宛先を登録しておけば、何度でも登録されている宛先にファクス送信またはメール送信を行うことができるが、登録に手間がかかるとともに、何度も送信するような相手先でない場合には、登録作業が無駄になることもあった。
【０００８】
本発明は、上記の問題に鑑みてなされたもので、端末装置内のデータやネットワーク複合機内に保存された画像データを端末装置から送信する場合に、登録作業等を必要とすることなく簡単に同じ宛先に送信することができるネットワーク複合機を提供することを目的とする。
【課題を解決するための手段】
【０００９】
上述の目的を達成するため、請求項１に係る発明のネットワーク複合機は、端末装置と通信ネットワークを介して接続され、上記端末装置からログインして送信処理を実行することが可能なネットワーク複合機であって、上記送信処理を制御する制御手段と、上記端末装置からの指示に基づいて送信処理された宛先の履歴情報をログインユーザ毎に記憶する記憶手段とを備え、端末装置から送信指示があったとき、上記制御手段が、送信処理された宛先情報を上記記憶手段にログインユーザ毎に記憶することを特徴とする。
【００１０】
また、請求項２に係る発明のネットワーク複合機は、請求項１に記載されたネットワーク複合機において、上記端末装置から上記記憶手段に記憶された宛先履歴情報の表示指示がなされたとき、上記制御手段がログインユーザの上記記憶手段に記憶された宛先履歴情報を上記端末装置に送信することを特徴とする。
【００１１】
さらに、請求項３に係る発明のネットワーク複合機は、請求項１または請求項２に記載されたネットワーク複合機において、上記端末装置から上記宛先履歴情報を指定して送信処理が指示された場合、上記制御手段が指定された宛先情報に基づいて送信処理を行うことを特徴とする。
【発明の効果】
【００１２】
請求項１〜請求項３に係る発明のネットワーク複合機によれば、端末装置内のデータやネットワーク複合機内に保存された画像データを端末装置からの指示によって送信した場合、送信宛先情報がログインユーザ毎に記憶手段に記憶されるので、端末装置から記憶手段に記憶された宛先履歴情報の表示指示を行うことにより、端末装置のモニタ画面にそのログインユーザが過去に端末装置から送信を行った送信先を表示することができる。
【００１３】
また、端末装置のモニタ画面に表示された宛先履歴情報の中から送りたい宛先を指定して送信を指示すれば、指定した宛先情報に基づいてファクス送信またはメール送信を行うことができるので、ネットワーク複合機の宛先表等への登録作業を行うことなく、過去に送信した同一の相手に簡単に送信を行うことができる。
【実施例】
【００１４】
以下、本発明のネットワーク複合機の実施例について、図面を用いて説明する。図１はネットワーク複合機を備えたシステムのネットワーク構成例を示す図であり、図２はネットワーク複合機のハードウェア構成を示すブロック図、図３はネットワークボードの機能を示す機能ブロック図である。
【００１５】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１６】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１７】
ＣＰＵ１１はバス２３を介してネットワーク複合機１のハードウェア各部を制御するとともに、ＲＯＭ１２に記憶されたプログラムに基づいて各種のプログラムを実行し、ＲＯＭ１２はネットワーク複合機１の動作に必要な種々のプログラムや操作メッセージ等を予め記憶している。また、ＲＡＭ１３はＳＲＡＭ等で構成され、プログラムの実行時に発生する一時的なデータを記憶する。
【００１８】
表示・操作部１４は、ネットワーク複合機１の動作状態を表示したり、種々の機能の操作画面の表示を行う表示部と、ネットワーク複合機１を操作するための多数の操作キーとから構成されている。読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。
【００１９】
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものである。
【００２０】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２１】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２２】
また、ＬＡＮインターフェース２２はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２３】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。  
【００２４】
一方、ネットワークボード２１は図３の機能ブロック図に示すように、ＴＣＰ／ＩＰプロトコル制御部３１、ＨＴＴＰＤ制御部３２、ホームページ管理部３３、文書管理部３４、宛先履歴情報管理部３５からなり、これらの各部は、ＣＰＵ、ＲＯＭ、ＲＡＭ等のメモリ、磁気ディスク（ハードディスク）記憶装置等により構成されている。
【００２５】
ＴＣＰ／ＩＰプロトコル制御部３１はＴＣＰ（Transmission  Control  Protocol）／ＩＰ（Internet  Protocol）を制御し、ＨＴＴＰＤ制御部３２は、ＴＣＰ／ＩＰプロトコル制御部３１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２６】
また、ホームページ管理部３３は、ＨＴＴＰＤ制御部３２からのホームページ要求に対応してホームページファイルをＨＴＴＰＤ制御部３２に出力し、文書管理部３４はネットワーク複合機１本体からの操作によるスキャン文書、ファクス／メール受信の配信文書等の文書を記憶・保存するととともに、ＨＴＴＰＤ制御部３２からの要求に応じて保存文書の一覧情報をＨＴＭＬ（Hyper Text Markup Language）形式のファイルに変換してＨＴＴＰＤ制御部３２に出力し、かつ、ＨＴＴＰＤ制御部３２から入力された情報を解析して、保存文書の転送、削除等の処理を行う。
宛先履歴情報管理部３５はログインユーザ毎に宛先履歴情報を記憶するフォルダを有し、パソコン２、３、４等からファクス送信、またはメール送信の指示が行われた場合、そのパソコンのログインユーザのフォルダに送信宛先を記憶することにより宛先履歴情報を管理する。
【００２７】
次に、ユーザがパソコン２、３、４等からネットワーク複合機１の内部に格納された画像の送信を実行する場合の作用について説明する。
ユーザがＷＷＷブラウザを起動し、例えば、パソコン２のモニタ画面に表示されたＷＷＷブラウザ画面において、ネットワーク複合機１のＩＰアドレスを指定してアクセスを行うと、ネットワークボード２１のＨＴＴＰＤ制御部３２がこれを検知し、ホームページ管理部３３からＨＴＭＬで記述されたホームページファイルを読み出し、ＴＣＰ／ＩＰプロトコル制御部３１、ＬＡＮインターフェース２２、ＬＡＮ６を介してパソコン２に転送する。
【００２８】
そして、ユーザがこのホームページから文書の一覧表示を選択して指示すると、この一覧表示指示情報がＬＡＮ６を介してネットワーク複合機１に転送され、ネットワークボード２１のＨＴＴＰＤ制御部３２がこれを検知する。これにより、ＨＴＴＰＤ制御部３２が文書管理部３４に文書一覧転送を指示し、文書管理部３４が保存文書の一覧情報をＨＴＭＬ形式のファイルに変換してパソコン２に転送する。
これにより、パソコン２のモニタ画面に図４に示す文書一覧リスト画面が表示される。
【００２９】
図４に示すように、この文書一覧リスト画面の上部に、スキャン画像、送信文書、受信文書、共有受信文書、掲示板、回覧文書、処理依頼文書の切替タブと、「転送」、「送信」、「プリント」、「ダウンロード」、「削除」、「掲示板」、「回覧」、「処理依頼」等の機能選択ボタンが表示されている。また、文書一覧リスト画面の下部には、受信文書の場合、相手先名、文書分類、ページ数、受信日時等が表示される。
そして、文書をファクス送信またはメール送信したい場合には、上記の文書一覧リスト画面において、送信したい文書をチェックして「送信」ボタンをクリックすることにより、図５に示す送信ダイアログ画面がパソコン２のモニタ画面に表示される。
【００３０】
この送信ダイアログ画面には、図に示すように、ファクス送信宛先入力欄、電子メール送信宛先入力欄、電子メール本文編集欄、送信文書指示欄、送付案内書編集欄、配布指示欄、履歴保存指示欄等が表示されている。
ファクス送信宛先欄、電子メール送信宛先欄には、それぞれファクス番号、メールアドレスを入力する欄が設けられているとともに、「宛先表」ボタンが表示されており、この「宛先表」ボタンをクリックすることにより、ネットワーク複合機内に保存されている宛先表をパソコンのモニタ画面に表示することができ、この宛先表から送信宛先を選択することもできる。
【００３１】
また、このファクス送信宛先、電子メール送信宛先入力欄の右側には「宛先履歴」ボタンが表示されており、この「宛先履歴」ボタンをクリックすることにより、ネットワークボード２１の宛先履歴情報管理部３５からそのログインユーザが過去にパソコンから送信処理した宛先が読み出されて、パソコンのモニタ画面に表示される。
【００３２】
さらに、送信文書指示欄では、当初、図４の文書一覧リストでチェックした文書が表示されているが、「変更」ボタンをクリックすることにより、送信文書選択画面が表示されるので、この画面で送信文書の変更を行うことが可能である。また、この欄で、電子メールで送信するときの添付ファイル形式の選択も行うことができる。
【００３３】
次に、ユーザが上記の送信ダイアログ画面で操作を行った場合のネットワーク複合機１の作用について、図６のフローチャートにより説明する。
ネットワークボード２１のＨＴＴＰＤ制御部３２は、常時、図６のフローチャートに示すプログラムを実行し、ＴＣＰ／ＩＰプロトコル制御部３１を介してパソコン２、３、４等からＨＴＴＰデータを受信したか否かを判定している（ステップ１０１）。そして、例えば、パソコン２からＨＴＴＰデータを受信したと判定すると、ＨＴＴＰＤ制御部３２は相手先の直接ファクス番号または直接メールアドレス情報を受信したか否かを判定し（ステップ１０２）、ユーザが図５の送信ダイアログ画面でファクス送信宛先または電子メール送信宛先を入力して「送信」ボタンをクリックした場合には、直接宛先情報を受信したと判定し、パソコン２のログインユーザ情報をメモリ（図示せず）に記憶する（ステップ１０３）。
【００３４】
次に、ＨＴＴＰＤ制御部３２は、受信した直接ファクス番号または直接メールアドレス情報で送信ジョブを作成した（ステップ１０４）後、受信した直接ファクス番号または直接メールアドレス情報を宛先履歴情報管理部３５のログインしているユーザのフォルダに記憶する（ステップ１０５）。この後、ＨＴＴＰＤ制御部３２は、送信する画像データを文書管理部３４から読み出し、作成した送信ジョブとともに、ネットワーク複合機１の本体に送信する（ステップ１０６）。
【００３５】
一方、ステップ１０２で直接宛先情報を受信していないと判定した場合、ＨＴＴＰＤ制御部３２は、宛先履歴情報のインデックス番号を受信したか否かを判定し（ステップ１０７）、宛先履歴情報のインデックス番号を受信していないと判定した場合、宛先履歴取得コマンドを受信したか否かを判定し（ステップ１０８）、宛先履歴取得コマンドでないと判定した場合は、ＨＴＴＰのその他の処理を実行する（ステップ１０９）。
【００３６】
ユーザが図５の送信ダイアログ画面の送信宛先欄の「宛先履歴」ボタンをクリックした場合、ＨＴＴＰＤ制御部３２は、ステップ１０８で宛先履歴取得コマンドを受信したと判定し、宛先履歴情報管理部３５にログインしているユーザの宛先履歴情報があるか否かを判定する（ステップ１１０）。ログインユーザの宛先履歴情報がないと判定した場合、ＨＴＴＰＤ制御部３２は、ログインユーザの宛先履歴情報なしをレスポンスデータとしてパソコン２に送信し（ステップ１１１）、ログインユーザの宛先履歴情報があると判定した場合は、そのログインユーザの宛先履歴情報を宛先履歴情報管理部３５から読み出して、レスポンスデータとしてパソコン２に送信する（ステップ１１２）。これにより、パソコン２のモニタ画面に図７に示す宛先履歴情報一覧リストが表示される。
【００３７】
この宛先履歴情報一覧リスト表示画面には、図に示すように、インデックス番号、過去にそのユーザが送信処理を行った送信宛先名、及びファクス番号またはメールアドレスが表示されている。この画面で、ユーザが送信したい宛先のインデックス番号の左側のチェック欄をチェックした後、「ＯＫ」ボタンをクリックすることにより、指定されたインデックス番号及び送信ダイアログ画面で入力された情報がネットワーク複合機１に送信され、また、「閉じる」ボタンをクリックすることにより、この宛先履歴情報一覧リスト画面が閉じ、送信ダイアログ画面に戻る。
【００３８】
そして、ステップ１０７において、宛先履歴情報のインデックス番号を受信したと判定した場合、ＨＴＴＰＤ制御部３２は、宛先履歴情報管理部３５に保存しているログインユーザごとの宛先履歴情報から該当するインデックス番号の相手先ファクス番号またはメールアドレスを読み出し、この送信相手先情報で送信ジョブを作成した（ステップ１１３）後、送信する画像データを文書管理部３４から読み出し、作成した送信ジョブとともに、ネットワーク複合機１の本体に送信する（ステップ１０６）。
【００３９】
次に、送信ジョブを受けた場合の、ネットワーク複合機１本体の作用について、図８のフローチャートにより説明する。
ネットワーク複合機１のＣＰＵ１１は、常時、図８のフローチャートに示すプログラムを実行し、ネットワークボード２１から送信ジョブを受信したか否かを判定している（ステップ２０１）。そして、送信ジョブを受信したと判定すると、ＣＰＵ１１は送信相手先等の送信情報をＲＡＭ１３に記憶するとともに、送信画像データを画像メモリ１６に記憶する（ステップ２０２）。
【００４０】
次に、ＣＰＵ１１は送信相手先情報がＦＡＸ番号か否かを判定し（ステップ２０３）、ＦＡＸ番号であった場合には、送信相手先のＦＡＸ番号をモデム１９、ＮＣＵ２０を制御してＰＳＴＮ５に送出させ、通信が確立すると、画像メモリ１６に蓄積されている送信画像データをモデム１９で変調した後、ＮＣＵ２０からＰＳＴＮ５を通して相手先にファクシミリ送信する。
【００４１】
一方、ステップ２０３で送信相手先情報がＦＡＸ番号でないと判定した場合、ＣＰＵ１１は画像メモリ１６に蓄積されている受信画像データを図５の送信ダイアログ画面で指定されたファイル形式（例えば、ＴＩＦＦ形式ファイル）に変換して電子メール用の添付ファイルを作成し、作成した添付ファイルを電子メールに添付して送信宛先のメールアドレスに宛てて送信する。
【００４２】
以上のように、本発明のネットワーク複合機によれば、パソコン内のデータやネットワーク複合機内に保存された画像データをパソコンからの指示によって送信処理した場合、送信宛先情報がログインユーザ毎に記憶手段に記憶されるので、パソコンからネットワーク複合機に保存された宛先履歴情報の表示指示を行うことにより、パソコンのモニタ画面にそのログインユーザが過去にパソコンから送信を行った送信先を表示することができる。
【００４３】
また、パソコンのモニタ画面に表示された宛先履歴情報の中から送りたい宛先を指定して送信を指示すれば、指定した宛先情報に基づいてファクス送信またはメール送信を行うことができるので、ネットワーク複合機の宛先表等への登録作業を行うことなく、過去にパソコンから送信処理を行った同一の相手に簡単に送信を行うことができる。
【００４４】
なお、上記の実施例では、文書一覧リスト画面から送信したい画像を指定してファクス送信やメール送信を行う例について説明したが、パソコンの内部に保存されている画像や文書を指定してファクス送信やメール送信を行う場合にも、本発明を適用することができ、このような場合には、ネットワーク複合機１本体のＲＡＭ１３に宛先履歴情報を記憶し、ＣＰＵ１１により宛先履歴情報をパソコンに送信する等の制御を行うことも可能である。
【図面の簡単な説明】
【００４５】
【図１】ネットワーク複合機を備えたシステムのネットワーク構成例を示す図である。
【図２】ネットワーク複合機のハードウェア構成を示すブロック図である。
【図３】ネットワークボードの機能ブロック図である。
【図４】文書一覧リスト画面の一例を示す図である。
【図５】送信ダイアログ画面の一例を示す図である。
【図６】図５の送信ダイアログ画面で操作した場合のネットワーク複合機の作用を示すフローチャートである。
【図７】宛先履歴情報一覧リスト画面の一例を示す図である。
【図８】送信ジョブを受けた場合の、ネットワーク複合機本体の作用を示すフローチャートである。
【符号の説明】
【００４６】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ネットワークボード
２２  ＬＡＮ  Ｉ／Ｆ
２３  バス
３１  ＴＣＰ／ＩＰプロトコル制御部
３２  ＨＴＴＰＤ制御部
３３  ホームページ管理部
３４  文書管理部
３５  宛先履歴情報管理部
【図１】
2006135570.tif 000003
【図２】
2006135570.tif 000004
【図３】
2006135570.tif 000005
【図４】
2006135570.tif 000006
【図５】
2006135570.tif 000007
【図６】
2006135570.tif 000008
【図７】
2006135570.tif 000009
【図８】
2006135570.tif 000010